(57)【要約】【課題】  浴室暖房乾燥装置の高さを大きくすることなく、浴室暖房乾燥装置に除湿ロータを設けることのできる構造を提案する。【解決手段】  浴室暖房乾燥装置１０１は、本体ユニット１１１と取り外し可能な除湿ユニット１１２からなり、本体ユニット１１１に除湿ユニット１１２が並設されている。本体ユニット１１１の第１の吸気口１１３から吸気された浴室内の空気は熱交換器１１４で暖められて吐出口１１６から室内に吹き出す。第２の吸気口１１８から吸気された浴室内の空気は除湿ユニット内に流れ込み、その一部は除湿ロータ１２３を通過するときに除湿されて再び本体ユニット１１１の吐出口１１６から室内に吹き出す。除湿ユニット１１２内に流れ込んだ他の一部の空気は、再生用ヒータ１１９で加熱され、除湿ロータ１２３を通過する際に除湿ロータ１２３に吸着された湿気を蒸発させて除湿ロータ１２３を再生し、湿気を含んだ状態で室外に排気される。【選択図】      図６
2006207861.tif 000002
【特許請求の範囲】
【請求項１】
本体ユニットと除湿ユニットとを有する浴室暖房乾燥装置であって、
前記本体ユニットは、吸気した室内の空気を再び室内へ導くための第１の送風経路と、第１の送風経路を通過する空気を加熱する暖房用加熱手段と、前記暖房用加熱手段により加熱された空気を室内に送り出すための循環ファンとを備え、
前記除湿ユニットは、吸気した室内の空気を再び室内へ導くための第２の送風経路と、第２の送風経路を通過する空気の除湿を行なう除湿器と、前記除湿器により除湿された空気を室内に送り出すための除湿用ファンとを備え、
前記除湿ユニットは前記本体ユニットの側面に付設されていることを特徴とする浴室暖房乾燥装置。
【請求項２】
前記除湿ユニットは、吸気した室内の空気を室外へ導くための第３の送風経路を備え、前記除湿器の除湿部材が第２の送風経路と第３の送風経路との間を移動できるように前記除湿器を第２及び第３の送風経路に跨って配置し、
第３の送風経路に再生用ファンを配置すると共に第３の送風経路における前記除湿器よりも風上側に除湿器を再生するための再生用加熱手段とを配置したことを特徴とする、請求項１に記載の浴室暖房乾燥装置。
【請求項３】
前記除湿器は前記除湿部材を回転させることによって前記除湿部材を第２の送風経路と第３の送風経路との間を移動するようになった除湿ロータであり、前記除湿ロータは、その回転軸が上下方向を向くようにして前記除湿ユニット内に配置されていることを特徴とする、請求項２に記載の浴室暖房乾燥装置。
【請求項４】
前記除湿ユニットの下面が前記本体ユニットの下面よりも上方に位置していることを特徴とする、請求項１、２又は３に記載の浴室暖房乾燥装置。
【請求項５】
第２の送風経路は、前記本体ユニットに設けられた吸気口から室内の空気を吸引し、前記本体ユニットに設けられた吐出口から室内へ空気を吹き出すようになっていることを特徴とする、請求項１〜４に記載の浴室暖房乾燥装置。
【請求項６】
前記除湿ユニットは、前記本体ユニットから取り外し可能となっていることを特徴とする、請求項１〜５に記載の浴室暖房乾燥装置。
【発明の詳細な説明】
【技術分野】
【０００１】
本発明は、浴室暖房乾燥装置に関し、特に除湿ロータを備えた浴室暖房乾燥装置に関する。
【背景技術】
【０００２】
浴室の天井や壁などに設置し、温風を吹き出すことによって浴室内を暖房したり、その下に吊した衣類などに温風を吹き付けて乾燥させたりするための浴室暖房乾燥装置が従来より用いられている。
【０００３】
また、特許文献１（特開２００３−２９４２６７号公報）では湿気を吸着する吸着剤を表面にコートしたデシカントロータなどの除湿ロータを用いて室内の空気を除湿する機能を備えた除湿換気装置が提案されている。このような除湿換気装置にあっては、除湿ロータを空気が通過する際に吸着剤が湿気を吸着し、除湿された空気を室内に送り出している。
【０００４】
しかしながら、除湿ロータの大きさ（直径×厚み）は約３００ｍｍ×２０ｍｍであるため、除湿ロータを縦置き或いは横置きにして従来の浴室暖房乾燥装置に除湿ロータを組み込むと、浴室暖房乾燥装置の高さが従来よりも５０ｍｍ以上高くなる。一方、天井裏の高さは、通常居室の天井裏の高さよりも低くなっている場合がある。そのため、浴室暖房乾燥装置に除湿ロータを組み込んだ場合には、天井裏の高さに制限のあるマンション等の浴室の天井裏には当該浴室暖房乾燥装置を設置できないという問題があった。
【特許文献１】特開２００３−２９４２６７号公報
【特許文献２】特開平１１−３０４３５号公報
【特許文献３】特開２００１−２２１５６８号公報
【発明の開示】
【発明が解決しようとする課題】
【０００５】
本発明は上記のような技術的課題に鑑みてなされたものであり、その目的とするところは、装置の高さを高くすることなく除湿器を組み込むことを可能にすることにより、天井裏の高さ方向の設置スペースに制限がある場所でも設置可能な浴室暖房乾燥装置を提供することにある。
【課題を解決するための手段】
【０００６】
請求項１に記載の浴室暖房乾燥装置は、本体ユニットと除湿ユニットとを有する浴室暖房乾燥装置であって、前記本体ユニットは、吸気した室内の空気を再び室内へ導くための第１の送風経路と、第１の送風経路を通過する空気を加熱する暖房用加熱手段と、前記暖房用加熱手段により加熱された空気を室内に送り出すための循環ファンとを備え、前記除湿ユニットは、吸気した室内の空気を再び室内へ導くための第２の送風経路と、第２の送風経路を通過する空気の除湿を行なう除湿器と、前記除湿器により除湿された空気を室内に送り出すための除湿用ファンとを備え、前記除湿ユニットは前記本体ユニットの側面に付設されていることを特徴としている。
【０００７】
請求項１に記載の浴室暖房換気乾燥装置にあっては、本体ユニットの横に除湿ユニットが並設されているので、浴室暖房乾燥装置の高さを高くすることなく除湿器を組み込むことができ、天井裏の高さ方向のスペースに制限のある場所でも設置することができる。
【０００８】
請求項２に記載の浴室暖房乾燥装置は、前記除湿ユニットは、吸気した室内の空気を室外へ導くための第３の送風経路を備え、前記除湿器の除湿部材が第２の送風経路と第３の送風経路との間を移動できるように前記除湿器を第２及び第３の送風経路に跨って配置し、第３の送風経路に再生用ファンを配置すると共に第３の送風経路における前記除湿器よりも風上側に除湿器を再生するための再生用加熱手段とを配置したことを特徴としている。
【０００９】
請求項２に記載の浴室暖房換気乾燥装置にあっては、吸気した室内の空気を室外へ導くための第３の送風経路を備えているので、室内の空気を換気することができる。また、第３の送風経路に除湿器の再生用加熱手段が設置されているので、第３の送風経路を流れる空気によって除湿器を再生することができ、室内を除湿しながら除湿器の再生が可能となり、室内に干した衣類などの洗濯物の乾燥時間を短縮できる。さらに、再生用ファンによって、吸気された室内の空気は室外へ導かれるので、別途換気用のファンを設ける必要がない。したがって、装置を簡略化及び小型化して設置面積を小さくすることができる。
【００１０】
請求項３に記載の浴室暖房乾燥装置は、前記除湿器は前記除湿部材を回転させることによって前記除湿部材を第２の送風経路と第３の送風経路との間を移動するようになった除湿ロータであり、前記除湿ロータは、その回転軸が上下方向を向くようにして前記除湿ユニット内に配置されていることを特徴としている。
【００１１】
請求項３に記載の浴室暖房換気乾燥装置にあっては、除湿器に回転型の除湿ロータを用いているので、除湿器をコンパクトにできる。また、水平面内で除湿ロータが回転するので、除湿器の高さを低くすることができる。
【００１２】
請求項４に記載の浴室暖房乾燥装置は、前記除湿ユニットの下面が前記本体ユニットの下面よりも上方に位置していることを特徴としている。
【００１３】
請求項４に記載の浴室暖房換気乾燥装置にあっては、除湿ユニットの下面が本体ユニットの下面よりも上方に位置しているので、除湿パネルの下面には天井パネルを敷くことができ、浴室から除湿ユニットが見えないように天井パネルで隠すことができる。したがって、本体ユニットの側面に除湿ユニットを設けても浴室から見た外観を良好にすることができる。
【００１４】
請求項５に記載の浴室暖房乾燥装置における第２の送風経路は、前記本体ユニットに設けられた吸気口から室内の空気を吸引し、前記本体ユニットに設けられた吐出口から室内へ空気を吹き出すようになっていることを特徴としている。
【００１５】
請求項５に記載の浴室暖房換気乾燥装置にあっては、室内の空気は本体ユニットを経て除湿ユニットに流れ込むので、室内の空気を直接除湿ユニットに吸気する必要がなく、除湿ユニットに室内の空気を直接吸気するための吸気口を設ける必要がない。したがって、天井の浴室側に除湿ユニットを露出させる必要がないので、浴室暖房乾燥装置の外観が大面積になることが無く、浴室から見た外観を良くすることができる。
【００１６】
請求項６に記載の浴室暖房乾燥装置は、前記除湿ユニットは、前記本体ユニットから取り外し可能となっていることを特徴としている。
【００１７】
請求項６に記載の浴室暖房換気乾燥装置にあっては、除湿ユニットが取り外し可能であるので、同じ規格の大きさの別な機能を有したユニットを取り付けて別の暖房換気システムを構築することができる。
【発明を実施するための最良の形態】
【００１８】
以下、本発明の実施例を図面に従って詳細に説明する。ただし、本発明は以下の実施例に限定されるものでないことは勿論である。
【実施例１】
【００１９】
図１は、実施例１の天井設置型の浴室暖房乾燥装置１０１の断面図である。また、図２は、浴室暖房乾燥装置１０１の下面図である。図１及び図２に示すように浴室暖房乾燥装置１０１は、本体ユニット１１１と除湿ユニット１１２で構成されており、本体ユニット１１１の側面に設けられた第１の接続口１５１と除湿ユニット１１２の側面に設けられた第２の接続口１５２が接続され、本体ユニット１１１の側面に設けられた第３の接続口１５３と除湿ユニット１１２の側面に設けられた第４の接続口１５４とが接続されるようにして本体ユニット１１１と除湿ユニット１１２が一体に組み立てられている。ただし、除湿ユニット１１２は、ボルトやビスなどによって本体ユニット１１１に取り付けられており、必要に応じて本体ユニット１１１から取り外し可能となっている。
【００２０】
本体ユニット１１１は、第１の吸気口１１３から吐出口１１６につながる循環通路１４１と、第２の吸気口１１８から第１の接続口１５１につながる供給通路１４２と、第３の接続口１５３から風路切替ダンパ１１７を経て循環通路１４１に接続された回収通路１４４とが設けられている。循環通路１４１には吸気口１１３側から順に熱交換器１１４と、循環ファン１１５とが設けられ、特に図示しないが、循環ファン１１５は、循環ファンモータと接続されている。この循環ファンモータの駆動により第１の吸気口１１３から浴室の空気を吸気し吐出口１１６から吹き出すようになっている。さらに、回収通路１４４は、熱交換器１１４よりも吐出口１１６側で循環通路１４１と接続されている。また、循環通路１４１と回収通路１４４との接続部には、風路切替ダンパ１１７が設置されており、風路切替ダンパ１１７の開閉により循環通路１４１及び回収通路１４４の接続の有無を切り替ている。また、本体ユニット１１１の外面は、ケーシング１５０によって囲まれている。
【００２１】
除湿ユニット１１２は、内部にデシカントロータ等からなる除湿ロータ１２３が横置き、すなわちその回転軸が上下方向を向くようにして配置されている。除湿ユニット１１２の外面はケーシング１５１によって囲まれている。除湿ユニット１１２の内部では、除湿ロータ１２３の下方に下側空間１４５が形成されており、除湿ロータ１２３よりも上側で除湿室１４６と除湿機能再生室１４７に分かれている。除湿室１４６には除湿用ファン１２６と第４の接続口１５４が設けられ、特に図示しないが、除湿用ファン１２６は吸着用ファンモータと接続されている。この吸着用ファンモータの駆動により、本体ユニット１１１に設けられた第２の吸気口１１８から下側空間１５２へ吸気した空気の一部が除湿ロータ１２３及び除湿室１４６を経てを本体ユニット１１１の回収通路１４４内に送り込むようになっている。一方、除湿機能再生室１４７には再生用ファン１２７と排気口１３１が設けられ、特に図示しないが、再生用ファン１２７は再生用ファンモータと接続されている。この再生用ファンモータの駆動により、本体ユニット１１１に設けられた第２の吸気口１１８から下側空間１４５へ吸気した空気の一部が除湿ロータ１２３及び除湿機能再生室１４７を経て排気口１３１から室外へ排気するようになっている。除湿ロータ１２３は略円筒形で横置きに（すなわち、略円形面が水平方向を向くように）設置されている。さらに、除湿機能再生室１４７と対向する個所において除湿ロータ１２３の下側空間１４５には、再生用ヒータ１１９（再生用加熱手段）が設けられている。また、除湿ユニット１１２内には、除湿ロータ１２３を回転させるための除湿ロータ用モーター１２０が設置されている。このように、除湿ユニット１１２は、浴室と直接空気のやりとりを行う吸気口及び吐出口を持たず、本体ユニット１１１を介して浴室と空気のやりとりをするようになっている。
【００２２】
ここで、図３に示すように、除湿ロータ１２３は、除湿部材１６とギア１２で構成されている。除湿部材１６は平坦な基板の表面に波形に連続して屈曲した波形部材を接着して構成された矩形長尺部材を円筒状に巻き込んだものであり、かつその平坦な基板及び波形部材の表面には湿気を吸着する機能を持つ固体吸着剤が付着されている。特に吸着剤に用いる材料に制限はないが、湿気を吸着する性質を持つ素材であればよく、例えば、シリカゲル、ゼオライト、活性炭などのように通常水分吸着用途に用いられるものを任意に使用できる。さらに、ギア１２は、除湿部材１６の円筒形の外周に沿って形成されている。
【００２３】
除湿部材１６は、波形に連続して屈曲した波形部材を巻き込んだ形状であることから、その円形の端面（設置状態における上面及び下面）には波形に連続して屈曲した部材と平坦な部材との隙間によって形成された無数の空気通過孔１１が端面全体に形成されている。なお、図３では、省略して一部の空気通過孔１１のみを図示している。また、各空気通過孔１１の和は、除湿部材１６の空気通過孔１１全体では十分な孔断面積を有し、しかも空気通過孔１１が細かく分割されており、且つその長さ方向（円筒形の厚さ方向）にはそこを通過する空気との大きな接触面積を有する。従って、湿気を含んだ空気は除湿部材１６の空気通過孔１１中をほとんど圧損なしに通過することができ、同時に、除湿部材１６の表面部分に付着された吸着剤により湿気が吸着除去される。また、空気通過孔１１の形状は、上記形状に限らず空気が通過するときの接触面積が大きく、圧損が発生しにくい構造であればよく、例えば、六角形のハニカム構造に形成したもの等でもよい。
【００２４】
除湿ロータ用モーター１２０には、駆動ギア１３が取り付けられており、除湿ロータ１２３に形成されたギア１２と噛み合うような位置に調整されている。したがって、除湿ロータ用モーター１２０の回転駆動により、除湿ロータ１２３も円形面の中心軸１４を中心に円形面内で連続的或いは断続的に回転するようになっている。
【００２５】
図４は、上記浴室暖房乾燥装置１０１を浴室の天井裏に設置した状態を示す概略図である。本体ユニット１１１の四隅には、ボルト取付用部材１６１が設けられている。浴室の天井スラブから垂下された吊ボルト１６２をボルト取付用部材１６１に挿通させ、ボルト取付用部材１６１の下から吊ボルト１６２にナット１６３を螺合させることにより、本体ユニット１１１が吊ボルト１６２に吊り下げられている。また、除湿ユニット１１２は、本体ユニット１１１の側面に一体に形成されているので、本体ユニット１１１を吊ボルト１６２に吊り下げることにより、除湿ユニット１１２も吊ボルト１６２により支持されている。こうして、浴室暖房乾燥装置１０１が天井裏に設置された後、本体ユニット１１１の周囲の天井空間には、天井パネル１３０が敷き並べられる。さらに、本体ユニット１１１の下面には化粧パネル１６４が取り付けられ、本体ユニット１１１の下面は化粧パネル１６４によって隠される。
【００２６】
従って、本体ユニット１１１の下面に設けられている第１の吸気口１１３、吐出口１１６及び第２の吸気口１１８は、それぞれ化粧パネル１６４に設けられた開口窓（いずれも図示せず）を通して浴室内に臨んでいる。一方、除湿ユニット１１２の排気口１３１は、排気ダクト（図示せず）等を介して屋外と連通させられている。
【００２７】
また、除湿ユニット１１２の下面位置は、本体ユニット１１１の下面位置よりも高くなっており、除湿ユニット１１２の下面は本体ユニット１１１の下面よりも上方に引っ込んでいる。従って、除湿ユニット１１２の下方には天井パネル１３０を敷くことができ、浴室から除湿ユニット１１２が見えないよう天井パネル１３０で除湿ユニット１１２を隠すことができる。
【００２８】
この浴室暖房乾燥装置１０１では、除湿ユニット１１２を本体ユニット１１１の側面に設けているので、浴室暖房乾燥装置１０１の高さを低く抑えることができる。よって、天井裏高さの低い浴室の天井裏にも、除湿機能を有する浴室暖房乾燥装置１０１を容易に施工することができる。しかも、本体ユニット１１１の側面に設けた除湿ユニット１１２は、上記のように天井パネル１３０によって隠すことができるので、浴室から見たときに浴室暖房乾燥装置１０１の外観が大面積になることが無く、浴室から見た外観を良好にすることができる。
【００２９】
さらに、この浴室暖房乾燥装置１０１は本体ユニット１１１と除湿ユニット１１２に分離されているので、除湿運転するときに除湿ユニット１１２が熱交換器１１４で加熱されにくく、除湿ユニット１１２の温度が上がってその除湿機能が低下しにくくなる。
【００３０】
以下に、図５〜図７を用いて、実施例１の浴室暖房乾燥装置１０１の３つ動作モードについて説明する。なお、第１の動作モードを暖房モード、第２の動作モードを乾燥モード、第３の動作モードを換気モードと呼ぶ。
【００３１】
はじめに、浴室内の空気が第１の吸気口１１３から本体ユニット１１１内に吸気され、循環通路１４１内に設けられた熱交換器１１４、循環ファン１１５を順次通過して吐出口１１６から浴室内に再び吹き出す送風経路（第１の送風経路）をａと定義する。浴室内の空気が第２の吸気口１１８から本体ユニット１１１内に吸気され、供給通路１４２を通って第１及び第２の接続口１５１、１５２から除湿ユニット１１２内の下側空間１４５に流れ込み、除湿ロータ１２３、除湿室１４６、第４及び第３の接続口１５４、１５３を順次通過して本体ユニット１１１の回収通路１４４から循環通路１４１に合流し吐出口１１６から浴室内に再び吹き出す送風経路（第２の送風経路）をｂと定義する。また、浴室内の空気が第２の吸気口１１８から本体ユニット１１１内に吸気され、供給通路１４２を通って第１及び第２の接続口１５１、１５２から除湿ユニット１１２内の下側空間１４５に流れ込み、再生用ヒータ１１９、除湿ロータ１２３、除湿機能再生室１４７を順次通過して室外へ排気される送風経路（第３の送風経路）をｃと定義する。また、図５〜図７には各送風経路ａ〜ｃの概略を一点鎖線の矢印で示した。
【００３２】
次に、浴室暖房乾燥装置１０１を暖房モードで運転させた場合の動作を図５により説明する。この暖房モードにあっては、循環ファン１１５が回転し、除湿用ファン１２６及び再生用ファン１２７は停止している。また、除湿ロータ１２３は回転を停止し、風路切替ダンパ１１７は回収通路１４４を閉止している。さらに、熱交換器１１４は加熱され、再生用ヒータ１１９は加熱されていない。
【００３３】
この暖房モードにあっては、第１の吸気口１１３から浴室暖房乾燥装置１０１内に吸気された浴室内の空気は、送風経路ａを通る。したがって、第１の吸気口１１３から浴室暖房乾燥装置１０１内に吸気された浴室内の空気は、熱交換器１１４を通過するときに熱をもらって暖められるので、吐出口１１６から浴室内に暖かい空気が吹き出す。また、除湿用ファン１２６及び再生用ファン１２７は回転を停止し、風路切替ダンパ１１７は回収通路１４４を閉止している。浴室内の空気は第２の吸気口１１８から浴室暖房乾燥装置１０１内へ吸気されない。つまり、この暖房モードでは、浴室内の暖房のみが行なわれ、浴室内の相対湿度が低下する（絶対湿度は変化しない）。
【００３４】
次に、浴室暖房乾燥装置１０１を乾燥モードで運転させた場合の動作を図６に示す。この乾燥モードにあっては、循環ファン１１５、除湿用ファン１２６及び再生用ファン１２７はいずれも回転している。また、除湿ロータ１２３は回転し、風路切替ダンパ１１７は開成して循環通路１４１と回収通路１４４がつながっている。また、熱交換器１１４及び再生用ヒータ１１９は加熱されている。
【００３５】
この乾燥モードにあっては、第１の吸気口１１３から浴室暖房乾燥装置１０１内に吸気された浴室内の空気は送風経路ａを通り、第２の吸気口１１８から浴室暖房乾燥装置１０１内に吸気された浴室内の空気は送風経路ｂ及びｃを通る。まず、第１の吸気口１１３から吸気された浴室内の空気は、暖房モードと同様に熱交換器１１４で加熱されて吐出口１１６から浴室内に暖かい空気が吹き出す。一方、第２の吸気口１１８から吸気された浴室内の空気の一部（送風経路ｂを通る空気）は、除湿ユニット１１２の除湿室１４６を通って回収通路１４４から循環通路１４１に流れ込んで吐出口１１６から浴室内に吹き出す。このとき、浴室に吹き出す空気は除湿ロータ１２３を通過する際に吸着剤によって湿気が吸着されて除湿されているので、湿度が低くなっている。さらに、第２の吸気口１１８から吸気された浴室内の空気の他の一部（送風経路ｃを通る空気）は、除湿ユニット１１２の除湿機能再生室１４７を通って排気口１３１から室外へ排気される。この空気は、再生用ヒータ１１９を通過する際に暖められるので、除湿ロータ１２３を通過する際に吸着剤に吸着された湿気を蒸発させて湿気を含んだ状態で室外へ排気される。つまり、除湿ロータ１２３が再生される。したがって、送風経路ａを流れる空気は暖められ、送風経路ｂを流れる空気は除湿され、送風経路ｃを流れる空気によって除湿ロータ１２３の再生が行われると共に湿気を室外に排気される。以上により、浴室内の空気の暖房、乾燥、除湿および除湿ロータ１２３の再生が効率よく同時に行なわれる。
【００３６】
次に、浴室暖房乾燥装置１０１を換気モードで運転させた場合の動作を図７に示す。この換気モードにあっては、再生用ファン１２７が回転し、循環ファン１１５及び除湿用ファン１２６は停止している。また、除湿ロータ１２３は回転し、風路切替ダンパ１１７は閉止している。さらに、再生用ヒータ１１９は加熱され、熱交換器１１４は加熱されていない。
【００３７】
この換気モードにあっては、第２の吸気口１１８から浴室暖房乾燥装置１０１内に吸気された浴室内の空気は、送風経路ｃを通る。したがって、第２の吸気口１１８から浴室暖房乾燥装置１０１内に吸気された浴室内の空気は、除湿ユニット１１２の除湿機能再生室１４７を通って排気口１３１から室外へ排気される。また、再生用ヒータ１１９を通過する際に暖められた空気は、除湿ロータ１２３を通過する際に吸着剤に吸着された湿気を蒸発させて湿気を含んだ状態で室外へ排気される。つまり、浴室内が換気されると共に除湿ロータ１２３の再生が行われる。
【００３８】
なお、この浴室暖房乾燥装置１０１では、上記暖房モード、乾燥モード及び換気モード以外にも、循環ファン１１５を停止させたままで風路切替ダンパ１１７を開成して除湿用ファン１２６を回転させ、また除湿ロータ１２３も回転させて（これと同時に再生用ファン１２７も回転させて換気も行なってもよい。）除湿モードで運転させることも可能である。
【００３９】
以上、本発明の実施例で説明したように、本発明の浴室暖房乾燥装置１０１においては、特に図示しないがリモコン等により３つの運転モードを手動或いは自動的に切り替えることで、状況に応じた最適な運転モードを選択することができ、浴室内の暖房、換気、乾燥（除湿）を効率よく行なうことができる。
【００４０】
本発明の浴室暖房乾燥装置１０１においては、これまでの説明から理解されるように、本体ユニット１１１の横に除湿ユニット１１２を並設するようにしているので、天井１３０裏の高さに制限のあるような場所においても除湿ロータ１２３を備えた浴室暖房乾燥装置を設置することができ、衣類の乾燥時間を短縮することができる。
【００４１】
また、換気と除湿ロータ１２３の再生を１つの送風経路と１つのファン（すなわち、送風経路ｃと再生用ファン１２７）で共有するようにしているので、換気用の送風経路やファンと、除湿ロータ１２３を再生させるための送風経路やファンとを別々に設ける必要がなく、装置を簡略化及び小型化して設置面積を小さくすることができる。
【００４２】
また、浴室天井への露出部が本体ユニット側のみであるので、従来の装置よりも露出面積を抑えることができ、ドーム状天井などの浴室天井に露出面積の制限があるような場所にも設置することが可能となる。
【００４３】
さらに、除湿ユニット１１２は取り外し可能であるので、除湿ユニット１１２と異なる機能を持ったユニットを取り付ければ、本体ユニット１１１を共有化して別の暖房換気システムに変更することもできる。例えば、除湿ユニットの代わりに、除湿ロータを持たない換気機能（再生用ファン）のみのユニットを本体ユニットに取り付けることができ、本体ユニットを共用化することで浴室暖房乾燥装置の製造コストを抑えることができる。
【００４４】
なお、上記実施例においては、浴室に設置する浴室暖房乾燥装置について説明したが、浴室以外の場所に設置する暖房乾燥装置にも適用することができることは勿論である。
【図面の簡単な説明】
【００４５】
【図１】実施例１による浴室暖房乾燥装置の断面図である。
【図２】図１の下面図である。
【図３】図１の浴室暖房乾燥装置に用いられている除湿ロータの平面図である。
【図４】図１の浴室暖房乾燥装置を天井裏に設置した状態を示す概略図である。
【図５】暖房モードで運転しているときの動作を説明する図である。
【図６】乾燥モードで運転しているときの動作を説明する図である。
【図７】換気モードで運転しているときの動作を説明する図である。
【符号の説明】
【００４６】
１０１  浴室暖房乾燥装置
１１１  本体ユニット
１１２  除湿ユニット
１１３  第１の吸気口
１１４  熱交換器
１１５  循環ファン
１１６  吐出口
１１７  風路切替ダンパ
１１８  第２の吸気口
１１９  再生用ヒータ
１２３  除湿ロータ
１２６  除湿用ファン
１２７  再生用ファン
１３１  排気口
１４１  循環通路
１４２  供給通路
１４４  回収通路
１４５  下側空間
１４６  除湿室
１４７  除湿機能再生室
【図１】
2006207861.tif 000003
【図２】
2006207861.tif 000004
【図３】
2006207861.tif 000005
【図４】
2006207861.tif 000006
【図５】
2006207861.tif 000007
【図６】
2006207861.tif 000008
【図７】
2006207861.tif 000009